(57)【要約】【課題】パレットを使用することなく、フォークリフトで持ち上げることが可能となる浴室ユニットの梱包構造を提供する。【解決手段】下面に設置脚７を垂下した床パン１上に、浴槽２、壁パネル３、ジョイナー４、浴室関連部材６、天井パネル５を積み重ねて全体を一体に梱包する。梱包状態で、前記床パン１下面に垂下した前記設置脚７間がフォーク挿入用隙間１２となっている。【選択図】図１
2012025479.tif 000002
【特許請求の範囲】
【請求項１】
下面に設置脚を垂下した床パン上に、浴槽、壁パネル、ジョイナー、浴室関連部材、天井パネルを積み重ねて全体を一体に梱包し、梱包状態で、前記床パン下面に垂下した前記設置脚間がフォーク挿入用隙間となっていることを特徴とする浴室ユニットの梱包構造。
【請求項２】
前記床パン上に設置した前記浴槽内に前記浴槽関連部材の一部を収納し、前記浴槽の四周フランジのうち三辺のフランジの先端に水返し突片を突出し、前記三辺のフランジに突設した前記水返し突片のうち対向する一対の水返し突片に一対のホルダーの下面部の係止溝を嵌め込み係止し、前記対向する一対のホルダー上に前記複数の長尺のジョイナーを架設して支持し、この複数の長尺のジョイナーの上に前記複数の壁パネルを載置し、この壁パネルの上に一対の支持台を間隔をあけて載置し、この一対の支持台の上に前記短尺のジョイナーを架設して支持し、前記壁パネルと前記短尺のジョイナーとの間の隙間に前記浴室関連部材の他の一部を収納し、前記天井パネルの三辺に下方に向けて突出する下向き突出部を設け、前記一対の天井パネルを前記下向き突出部の先端部同士を合わせた状態で前記前記短尺のジョイナーの上に載置し、前記合わせた一対の天井パネルの中央部間に形成した隙間に前記浴室関連部材の更に他の一部を収納して成ることを特徴とする請求項１記載の浴室ユニットの梱包構造。
【発明の詳細な説明】
【技術分野】
【０００１】
本発明は、浴室ユニットの梱包構造に関するものである。
【背景技術】
【０００２】
従来から、浴室ユニットの構成部品すべてを一体に梱包するものが、特許文献１、特許文献２により知られている。
【０００３】
特許文献１、特許文献２に示される従来例は、いずれもパレット上に壁パネル、天井パネル、床パン、浴槽、その他の部品を重ねて載置し、これらをパレットと共に一体に結束することで、パレットと一体に結束された浴槽ユニット梱包体を形成するようにしている。
【０００４】
前記パレットと一体に結束された浴槽ユニット梱包体は、出荷時などにおいて、フォークリフトを用いてパレットを持ち上げてトラックに載せることができる。
【先行技術文献】
【特許文献】
【０００５】
【特許文献１】特開平８−２９５３８７号公報
【特許文献２】特開平１１−１４７５８８号公報
【発明の概要】
【発明が解決しようとする課題】
【０００６】
しかしながら、前記特許文献１、２に示された従来例はフォークリフトで持ち上げてトラックに載せるためには、別途パレットが必要である。しかも、使用したパレットは現場から回収しなければならない。したがって、従来は、パレットの購入費用、回収費用等が発生する。
【０００７】
本発明は、前記の従来例の問題点に鑑みて発明したもので、その目的とするところは、パレットを使用することなく、フォークリフトで持ち上げることが可能となる浴室ユニットの梱包構造を提供するにある。
【課題を解決するための手段】
【０００８】
本発明の浴室ユニットの梱包構造は、下面に設置脚を垂下した床パン上に、浴槽、壁パネル、ジョイナー、浴室関連部材、天井パネルを積み重ねて全体を一体に梱包し、梱包状態で、前記床パン下面に垂下した前記設置脚間がフォーク挿入用隙間と成っていることを特徴とする。
【０００９】
また、前記床パン上に設置した前記浴槽内に前記浴槽関連部材の一部を収納し、前記浴槽の四周フランジのうち三辺のフランジの先端に水返し突片を突出し、前記三辺のフランジに突設した前記水返し突片のうち対向する一対の水返し突片に一対のホルダーの下面部の係止溝を嵌め込み係止し、前記対向する一対のホルダー上に前記複数の長尺のジョイナーを架設して支持し、この複数の長尺のジョイナーの上に前記複数の壁パネルを載置し、壁パネルの上に一対の支持台を間隔をあけて載置し、この一対の支持台の上に前記短尺のジョイナーを架設して支持し、前記壁パネルと前記短尺のジョイナーとの間の隙間に前記浴室関連部材の他の一部を収納し、前記天井パネルの三辺に下方に向けて突出する下向き突出部を設け、前記一対の天井パネルを前記下向き突出部の先端部同士を合わせた状態で前記前記短尺のジョイナーの上に載置し、前記合わせた一対の天井パネルの中央部間に形成した隙間に前記浴室関連部材の更に他の一部を収納することが好ましい。
【発明の効果】
【００１０】
本発明は、梱包状態で床パン下面に垂下した前記設置脚間がフォーク挿入用隙間となっているので、別途パレットを必要とすることなく、梱包状態で設置脚間に形成されるフォーク挿入用隙間にフォークリフトのフォークを挿入して持ち上げることができる。したがって、従来のように別途パレットを必要とせず、パレットの費用、回収費用が必要でなく、コストダウンが図れる。
【図面の簡単な説明】
【００１１】
【図１】本発明の分解斜視図である。
【図２】同上の梱包状態の斜視図である。
【発明を実施するための形態】
【００１２】
以下、添付図面に示す実施形態に基づいて説明する。
【００１３】
浴室ユニットの構成部品は、図１に示すように床パン１、浴槽２、壁パネル３、壁パネル３を連結するためのジョイナー４、天井パネル５、前記以外の様々な浴室関連部材６よりなる。これらの浴室ユニットの構成部品は、工場から出荷する際に、図２のように一まとめにして梱包して出荷される。
【００１４】
床パン１は洗い場の床となるもので、平面視四角形状（長方形状）をしていて、下面部の四隅に下方に向けて設置脚７を垂下している。この設置脚７は高さ調整機能を有するアジャスターボルトにより構成しており、床パン１をスラブなどの上に設置する際、床パン１の水平調整を行うことができるようになっている。
【００１５】
床パン１は床排水口８を有しており、この床排水口８は、床パン１の上面より下方に凹んだ凹所８ａと凹所８ａの底に形成した排水孔部８ｂとで構成している。
【００１６】
浴槽２は上端開口の周囲にフランジ９を設けており、四周のフランジ９のうち三辺のフランジ９（二長辺のフランジ９のうちの一長辺のフランジ９と、二短辺のフランジ９）の先端に上方に向けて水返し突片１０を突出している。
【００１７】
浴槽２には浴槽排水部１１を設けており、この浴槽排水部１１は浴槽２の下面から下方に突出している。
【００１８】
壁パネル３としては、床パン１の浴槽２と隣接する端縁を除く三辺に沿って建て込むための複数の背の高い壁パネル３ａと、浴槽２の三辺のフランジ９の水返し突片１０に沿って立設する複数の背の低い壁パネル３ｂとがある。
【００１９】
ジョイナー４は隣接する壁パネル３同士を連結するための棒状の部材であり、このジョイナー４としては、長尺のジョイナー４ａと、短尺のジョイナー４ｂとがある。
【００２０】
長尺のジョイナー４ａは、前記背の高い壁パネル３ａ同士を連結するための部材である。
【００２１】
また、短尺のジョイナー４ｂは、背の低い壁パネル３ｂ同士の連結、及び、背の低い壁パネル３ｂと背の高い壁パネル３ａとを連結するための部材である。
【００２２】
天井パネル５は２枚あり、各天井パネル５はそれぞれ４辺のうち三辺に全長にわたり下方に向けて突出する下向き突出部１３を設けている。
【００２３】
２枚の天井パネル５の下面及び下向き突出部１３の内面は浴室内に露出する面であり、この面は化粧仕上げをした意匠面となっている。
【００２４】
天井パネル５の外面（浴室ユニット組立時に上面となる面）には、梱包時にジョイナー４を嵌め込むための嵌め込み溝２１を設けている。
【００２５】
そして、梱包時には一対の天井パネル５を下向き突出部１３の先端部同士を合わせ、対向する内面間に隙間１４を形成するようになっている。
【００２６】
なお、前記一対の天井パネル５は、浴室ユニット組立時に、下向き突出部１３を設けていない辺同士をつき合わせ連結することで、浴室ユニットの天井を構成するようになっている。
【００２７】
浴室関連部材６としては、図１に示すように換気扇、水栓器具、照明器具、握りバー、タオル掛け等の浴室関連小物部材６ａ、エプロン、カウンター、窓枠、配水管等の浴室関連長物部材６ｂ、浴槽蓋、裏配管等の浴室関連平物部材６ｃがある。これらの、浴室関連小物部材６ａ、浴室関連長物部材６ｂ、浴室関連平物部材６ｃは、それぞれ個別の部材毎に包装袋に入れたり、包装用紙で梱包したり、ダンボール箱に入れたりして梱包してある。
【００２８】
前記の浴室ユニットの構成部品は一つの浴槽ユニット毎にまとめて梱包する。梱包に当たっては以下のようにして行う。
【００２９】
まず、下面に設置脚７を垂下した床パン１上に浴槽２の下面部を載せる。この場合、浴槽２の浴槽排水部１１を床パン１は床排水口８に嵌め込むことで、浴槽２の床パン１に対するずれ防止を行うと共に、梱包に当たって浴槽排水部１１を床排水口８に逃す。
【００３０】
次に、浴槽２の上に一対のホルダー１５を設置する。
【００３１】
ホルダー１５はダンボールや発泡合成樹脂により形成してあり、浴槽２の二短辺のフランジ９の長さと略同じ長さとなっており、下面部に長手方向に沿って係止溝１６を形成し、上面部に長手方向に複数の溝状の保持部１７を所定間隔を隔てて形成している。
【００３２】
浴槽２の二つの短辺のフランジ９の先端から上方に突出した水返し突片１０にそれぞれホルダー１５の下面部の係止溝１６を嵌め込んで係止することで、対向する短辺側の一対の水返し突片１０にそれぞれホルダー１５を取付ける。
【００３３】
このホルダー１５を取付けた後、又は、ホルダー１５を取付ける前に、浴槽２内に浴室関連部材６の一部である浴室関連小物部材６ａを収納する。
【００３４】
次に、対向する一対のホルダー１５に複数の長尺のジョイナー４ａを架け渡して並設する。この場合、各長尺のジョイナー４ａの両端部をそれぞれホルダー１５の保持部１７に嵌め込んで保持する。
【００３５】
長尺のジョイナー４ａはダンボールや発泡合成樹脂により形成したホルダー１５を介して浴槽２の上に積み重ねるので、長尺のジョイナー４ａが直接浴槽２の上面に接することがなく、浴槽２の上面を傷つけることがない。
【００３６】
この複数の並設した長尺のジョイナー４ａ上に複数の壁パネル３を載置する。この場合、複数の背の高い壁パネル３ａが下に、複数の背の低い壁パネル３ｂが上になるように積み重ねる。ここで、長尺のジョイナー４ａは梱包に当たって複数の壁パネル３を載置するための根太の役目を兼用することになる。
【００３７】
壁パネル３は内面が化粧面となっており、化粧面を傷付けないように、保護シートやダンボールで被覆してある。
【００３８】
次に、複数の長尺のジョイナー４ａの上に複数の壁パネル３を積み重ね載置した後、この壁パネル３の上に一対の支持台１８を載置する。
【００３９】
支持台１８は、図１に示すように、帯状をした下板部１８ａの長手方向の両端部から支持突部１８ｂを突設し、支持突部１８ｂ間を上連結桟１８ｃで連結し、上連結桟１８ｃに長手方向に沿って複数の支持軸１８ｄを所定間隔で上方に向けて突出して構成している。
【００４０】
この一対の支持台１８には複数の短尺のジョイナー４を架け渡して支持する。支持に当たっては、短尺のジョイナー４ｂの長手方向の両端部に孔２２を設け、この短尺のジョイナー４ｂの両端部の孔２２を上記支持台１８の支持軸１８ｄに嵌め込むことで支持する。
【００４１】
このように壁パネル３の上に載置した支持台１８に複数の短尺のジョイナー４ｂを架け渡すと、壁パネル３と短尺のジョイナー４ｂとの間の隙間が形成されるので、この隙間に浴室関連部材６の一部である浴室関連長物部材６ｂを収納する。
【００４２】
複数の並設した短尺のジョイナー４ｂ上には、天井パネル５を載置する。載置に当たっては、前述のように、一対の天井パネル５を下向き突出部１３の先端部同士を合わせた状態で、短尺のジョイナー４ｂに載置する。この場合、下に位置する天井パネル５の外面に形成した各嵌め込み溝２１をそれぞれ複数の短尺のジョイナー４ｂに嵌め込み、天井パネル５がずれないように保持する。そして、短尺のジョイナー４ｂは梱包に当たって天井パネル５を載置するための根太の役目を兼用することになる。
【００４３】
一対の天井パネル５の対向する内面間に形成された隙間１４には浴室関連部材６の一部である浴室関連平物部材６ｃを収納する。
【００４４】
上記のようにして下面に設置脚７を垂下した床パン１の上に、浴槽２、壁パネル３、ジョイナー４、浴室関連部材６、天井パネル５を積み重ね且つ収納した状態で、図２のように全体をベルト１９や紐で結束し、更に、必要に応じてシュリンクラップ２０でラップする。このように一部屋分の浴室ユニットの全構成部材を一まとめにして梱包した梱包状態において、図２に示すように、床パン１下面に垂下した設置脚７間がフォーク挿入用隙間１２として開口している。
【００４５】
したがって、出荷の際に、床パン１下面に垂下した設置脚７間の隙間であるフォーク挿入用隙間１２にフォークリフトのフォークを差し込んで、持ち上げて移動でき、トラックの荷台に簡単に載せることができる。
【符号の説明】
【００４６】
１  床パン
２  浴槽
３  壁パネル
４  ジョイナー
４ａ  長尺のジョイナー
４ｂ  短尺のジョイナー
５  天井パネル
６  浴室関連部材
７  設置脚
９  フランジ
１０  水返し突片
１２  フォーク挿入用隙間
１５  ホルダー
１３  下向き突出部
１８  支持台
【図１】
2012025479.tif 000003
【図２】
2012025479.tif 000004